(57)【要約】【課題】マウス使用の利便性を向上できる、側面操作モジュール位置調節可能なマウスを提供すること。【解決手段】マウス本体は、ケーシング体を形成し、該本体の側面に中空案内面と透過溝を有する。側面操作モジュールは、操作部材と接続板を含み、該操作部材は接ぎロッドにより、該中空案内面を通り抜けて該接続板に連結する。連動部材は、該本体内部に設け、該連動部材は該接続板に接続して固定する。制御回路モジュールは、該連動部材に接続して固定し、かつ該制御回路モジュールは該操作部材に対応する感知素子を設ける。調節部材は、該本体内部に枢設し該透過溝より露出させ、該調節部材と該連動部材と連動する。【選択図】図２
0003149617.tif 000002
【実用新案登録請求の範囲】
【請求項１】
側面操作モジュール位置調節可能なマウスにおいて、
マウス本体は、ケーシング体を形成し、該本体は少なくとも一つの側面に中空案内面と、透過溝を有し、
少なくとも側面操作モジュールを有し、操作部材と接続板を含み、該操作部材は接ぎロッドを介して該中空案内面を通り抜けて、該接続板に連結し、
連動部材は、シート状の板部材を形成し、該本体内部に滑り込み、該連動部材と該接続板と接続して固定し、
制御回路モジュールは、該連動部材と接続して固定し、該制御回路モジュールに該操作部材に対応する感知素子を設け、
調節部材は、該本体内部に枢設し該透過溝より露出し、該調節部材と該連動部材を連動し、該調節部材を操作することにより、該操作部材の使用位置を改変できることを特徴とする側面操作モジュール位置調節可能なマウス。
【請求項２】
該操作部材は該本体外側の中空案内面に設けることを特徴とする請求項１記載の側面操作モジュール位置調節可能なマウス。
【請求項３】
該操作部材はキーであることを特徴とする請求項１記載の側面操作モジュール位置調節可能なマウス。
【請求項４】
該接ぎロッドの内側に支え部を有し、該感知素子は該支え部に対応して、クリック部を設けることを特徴とする請求項１記載の側面操作モジュール位置調節可能なマウス。
【請求項５】
該本体内部の底部にねじ固定柱を設け、該調節部材は軸固定孔を有するホイール体より構成し、該軸固定孔は位置決め部材により、該ねじ固定柱に取り付けることを特徴とする請求項１記載の側面操作モジュール位置調節可能なマウス。
【請求項６】
該連動部材は移動部を有し、該調節部材の周縁に該移動部に対応するホイール端を設けることを特徴とする請求項５記載の側面操作モジュール位置調節可能なマウス。
【請求項７】
該調節部材は、柱体を形成し、一端は該連動部材に接続して固定し、他端は該透過溝を通り抜けて該本体の外側に露出させ、はじき動かすに便利することを特徴とする請求項１記載の側面操作モジュール位置調節可能なマウス。
【請求項８】
該調節部材は、柱体を形成し、一端は該制御回路モジュールに接続して固定し、他端は該透過溝を通り抜けて該本体の外側に露出させ、はじき動かすに便利することを特徴とする請求項１記載の側面操作モジュール位置調節可能なマウス。
【請求項９】
該本体内部に該連動部材を設けるための摺動部を設け、該摺動部は該連動部材の下部に設けることを特徴とする請求項１記載の側面操作モジュール位置調節可能なマウス。
【請求項１０】
該接続板は、固定柱を有し、該連動部材および該制御回路モジュールは該固定柱に対応する固定貫通孔を有することを特徴とする請求項１記載の側面操作モジュール位置調節可能なマウス。
【請求項１１】
該感知素子は光学モジュールであることを特徴とする請求項１記載の側面操作モジュール位置調節可能なマウス。
【請求項１２】
該操作部材上に光通過孔を設け、感知素子の光束は該光通過孔を通り抜けて外部に出射することを特徴とする請求項１１記載の側面操作モジュール位置調節可能なマウス。
【請求項１３】
該感知素子は指タッチ回路であることを特徴とする請求項１記載の側面操作モジュール位置調節可能なマウス。
【請求項１４】
該操作部材は指タッチ回路に対応するタッチパネルであることを特徴とする請求項１３記載の側面操作モジュール位置調節可能なマウス。
【請求項１５】
該感知素子はトラックボール回路であることを特徴とする請求項１記載の側面操作モジュール位置調節可能なマウス。
【請求項１６】
該操作部材はトラックボール回路に対応するトラックボールであることを特徴とする請求項１５記載の側面操作モジュール位置調節可能なマウス。
【請求項１７】
該感知素子はホイール回路であることを特徴とする請求項１記載の側面操作モジュール位置調節可能なマウス。
【請求項１８】
該操作部材はホイール回路に対応するホイールであることを特徴とする請求項１７記載の側面操作モジュール位置調節可能なマウス。
【考案の詳細な説明】
【技術分野】
【０００１】
本考案は一種のマウスの構造に関し、特に調節部材にマウス側面操作部材を好適な使用位置で調節可能に設けた側面操作モジュール位置調節可能なマウスに関する。
【背景技術】
【０００２】
現在のコンピュータ操作はマウスを主に頼っている。
先行技術のマウス構造は、そのケーシング体にホイールを設け、該ホイールの両側に左と右キーをそれぞれ設ける。
これにより、該左と右キーによってマウス機能を操作している。
さらに、コンピュータ機能の高度化に伴い、各種応用ソフトが次から次へと開発されたため、左と右キーしかないマウスの構造は段々と使用に堪えられないことから、マウスのケーシング体の側面に補助キーを追加設計して、各種機能の補助操作に提供している。
同じく、先行技術によるマウスの移動情報を検出するときは、該ケーシング体の底部のホイールまたは光学機構を机などの表面に移動してその反応を検出している。
【考案の概要】
【考案が解決しようとする課題】
【０００３】
しかしながら先行技術のマウスは、該マウスを平らでない机表面または振動しやすい環境で操作すると精度が影響される。
前記した課題を改善するため、業者はマウスのケーシング体の側面に操作モジュールを設けることにより、利用者がマウス操作するときの指の移動をキャッチして、移動情報を検出している。
【０００４】
マウスの側面に操作モジュールを追加すると、マウス操作の便利性が向上されるものの、マウスの大きさが使用者の手首の大きさ、並びに使用習慣などと密接に関係するため、使用者が操作するときの快適性、利便性が影響を受ける。
さらに、先行技術のマウスの側面補助操作モジュールの設置は左と右キーとも同じの固定デザインがとられているため、使用者が使用するときの快適性、利便性に適合しない。よって、マウスの設計を改善する余地がある。
【０００５】
本考案の出願人は先行技術のマウスによる側面操作モジュールを使用するに際しての欠点に鑑みて成されたもので、側面操作モジュールを調節可能なマウスを提供するものである。
【０００６】
本考案の主な目的は、使用者のニーズに従い、マウスの側面操作モジュールを適切な位置に調節可能に設けて、マウス使用時の良好な快適性と利便性を確保しつつ、製品競争力の向上が図れる、側面操作モジュール位置調節可能なマウスを提供することにある。
【課題を解決するための手段】
【０００７】
前記の目的を達成するため、本考案は、マウス本体が、ケーシング体を形成し、該本体の側面に中空案内面と透過溝からなる。
操作モジュールは、操作部材と接続板を含み、該操作部材は接ぎロッドを介し該中空案内面を通り抜けて、該接続板に連結される。
連動部材は、該本体内部に滑り込み、該連動部材と該接続板に接続して固定する。
制御回路モジュールは、該連動部材と接続して固定する。
該制御回路モジュール上に該側面操作モジュールに対応する感知素子を設ける。
調節部材は、該本体内部に設けて該透過溝から露出し、該調節部材と該連動部材とを連動するようにしておく。該調節部材を操作し該操作部材を使用位置に調節する。
【考案の効果】
【０００８】
マウスの側面操作モジュールは使用者のニーズに従い、適切な位置に調節可能とし、該マウス使用時の良好な快適性と利便性を提供しつつ、製品競争力が向上する、側面操作モジュール位置調節可能なマウスを提供することができる。
【図面の簡単な説明】
【０００９】
【図１】本考案のマウスを示した上視立体概略図である。
【図２】本考案のマウスを示した拡大分解概略図である。
【図３】本考案による調節装置を示した分解概略図である。
【図４】本考案による調節装置を示した組み合わせ概略図である。
【図５】本考案による調節装置もう一つの角度を示した組み合わせ概略図である。
【図６】本考案による調節装置を示した組み合わせ側視概略図である。
【図７】本考案の操作を示した概略図である。
【図８】本考案の実施例２を示した分解概略図である。
【図９】本考案の実施例３を示した分解概略図である。
【図１０】本考案の実施例４を示した分解概略図である。
【考案を実施するための形態】
【００１０】
本考案の技術特徴およびその効果について、好ましい実施例と図面を参照しながら詳細に説明する。
【実施例１】
【００１１】
図１乃至３に本考案に係る側面操作モジュール位置調節可能なマウスの実施例１を示す。
図示したように、本考案に係るマウスはマウス本体１０を有し、該マウス本体１０は側面操作モジュール２０、連動部材３０、制御回路モジュール４０および調節部材５０を含む。
マウス本体１０はケーシング体を形成し、該マウス本体１０はさらに上部本体１１Ａと下部本体１１Ｂを含む。
該上部本体１１Ａには操作ホイール１２と、該操作ホイール１２の両側のキー１３Ａ、１３Ｂ（すなわち、左と右キー）を設ける。
該下部本体１１Ｂの少なくとも片側（本実施例においては片側）には、中空案内面１５を設け、該下部本体１Ｂ内側には該中空案内面１５に釣り合った下部にねじ固定柱１６と摺動部１７を設け、該下部本体１１Ｂ側面には該中空案内面１５に釣り合った下部に透過溝１８を設ける。
【００１２】
該側面操作モジュール２０は、操作部材２１と接続板２２を含む。
該操作部材２１は２つのキー２１１、２１２を含む。
該操作部材２１は接ぎロッド２３により、該接続板２２に連結する。
すなわち、該キー２１１、２１２はそれぞれ湾曲形状の接ぎロッド２３Ａ、２３Ｂ（接ぎロッド２３）により該接続板２２に連結することにより、該接続板２２を該操作部材２１の下部に取り付ける。
該接ぎロッド２３Ａ、２３Ｂの内側に支え部２５Ａ、２５Ｂ（支え部２５）を有し、該接続板２２は２つの固定柱２４を内側に突き出して設ける。
該側面操作モジュール２０を組み立てるときには、該接ぎロッド２３Ａ、２３Ｂを該マウス本体１０の中空案内面１５に跨がり、該操作部材２１を該マウス本体１０外側の中空案内面１５に取り付ける。該接続板２２は該マウス本体１０の内部に取り付ける。
【００１３】
該連動部材３０はシート状の板部材３１を含み、該板部材３１を該マウス本体１０の摺動部１７に滑り込んで固定する。
該板部材３１上部には２つの該固定柱２４に対応する貫通孔３２と、下部に移動部３３（本実施例において、ラック歯車を実施する）をそれぞれ設ける。
【００１４】
該制御回路モジュール４０（本実施例において、電子素子を有する電子回路板を実施する。ただし、通常のマウス制御回路モジュールと同じのため、詳細な説明を省略する。）は、感知素子４１を含む。
該感知素子４１は該クリック部２５Ａ、２５Ｂに対応してクリック部４１１（本実施例において、クリックスイッチを実施する。）をそれぞれ設け、該感知素子４１の下部は該連動部材３０の貫通孔３２に釣り合う位置に２つの貫通孔４２を設ける。
【００１５】
該連動部材３０、制御回路モジュール４０を組み合わせるときは、２つの固定部材４３（ねじ込み部材など）により、該制御回路モジュール４０の貫通孔４２、連動部材３０の貫通孔３２を通して接ぎロッド２２の固定柱２４に接続して固定（ねじ込みするなど）する。該側面操作モジュール２０、連動部材３０、制御回路モジュール４０は協働するように連結される。
それに伴い、図４、５に示す通り、該側面操作モジュール２０の接ぎロッド２３はマウス本体１０の中空案内面１５にて摺動し、該板部材３１はマウス本体１０の摺動部１７にて摺動する。
【００１６】
該調節部材５０はホイール体５１（本考案において、ギヤを実施する。ただし、他の方式で実現することは可能である。）を含み、ホイール体５１の周縁には該移動部３３に対応するホイール端５１１を設ける。該ホイール体５１の中央部には軸固定孔５３を設け、位置決め部材５２（ねじ込み部材など）により該軸固定孔５３を通し、該マウス本体１０のねじ固定柱１６に接続して固定（ねじ込むなど）する。これにより、該ホイール体５１をねじ固定柱１６の上部に枢設する。該調節部材５０のホイール端５１１と該連動部材３０の移動部３３は互いに歯当たり（噛合）する。
さらに、図６に示す通り、該ホイール体５１は透過溝１８を通して、局部を該マウス本体１０の外側に露出させて、該調節部材５０の操作を便利にする。
それに伴い、当該キー２１１、２１２をクリックすると、該接ぎロッド２３の連動により、該支え部２５Ａ、２５Ｂ（支え部２５）は該貫通孔４２、固定部材４３の支え部２５Ａ、２５Ｂを起動させ、操作情報を伝達する。
【００１７】
一つの好ましい実施例において、該調節部材５０は該制御回路モジュール４０と直接に連動させ、該板部材３１と該制御回路モジュール４０を一体化に結合（該板部材３１を取り除き）し、該制御回路モジュール４０と該接ぎロッド２２と接続固定し、かつ摺動可能な状態に仕上げる。
一方、該制御回路モジュール４０は該調節部材５０と歯当たり（移動部３３、ホイール端５１１の構造に仕上げる）にして、構造の簡素化を図る。
【００１８】
図７を併せて参照する。
本考案による側面操作モジュール位置調節可能なマウスを使用するときは、該ホイール体５１の回転操作により、該板部材３１（連動部材３０）が該摺動部１７の内部を摺動する。
該側面操作モジュール２０、連動部材３０、制御回路モジュール４０の連結構造により、当該キー２１１、２１２も追随して移動して、使用位置を改変できる。
一方、該側面操作モジュール２０の支え部２５Ａ、２５Ｂ（支え部２５）と、該制御回路モジュール４０の感知素子４１を同時に起動状態に対応しているため、正常な操作機能に影響されない。
これにより、該ホイール体５１（調節部材５０）の回転調節により、該操作部材２１の使用位置を改変できる。
【実施例２】
【００１９】
図８を参照して本考案による実施例２を説明する。
本実施例と実施例１との違いは、該制御回路モジュール４０の感知素子４１として光学モジュール（通常の光学マウスの構造と同じのため、ここにての詳細説明を省略する）を用いることである。
該感知素子４１より射出された光束は該中空案内面１５または該操作部材２１に備えた光通過孔２１３を通り抜けて、使用者の指部に照射し、該制御回路モジュール４０により、使用者指部の移動に従い、マウスのカーソルを併せて移動するか、若しくは指令を実行する。
【実施例３】
【００２０】
図９に、本考案の実施例３を示す。
本実施例と実施例１、２の違いは、該制御回路モジュール４０の感知素子４１として指タッチ回路（タッチパッドなど、通常のタッチパッドの構造と同じのため、ここにての詳細説明を省略する）を用いることである。
該感知素子４１は電子回路（図示しない）を有し、操作部材２１（本実施例において、タッチパネルを使用する）と電気的に導通していて、使用者が該操作部材２１の表面での移動を感知した上、マウスカーソルを同時に移動させるか、またはページスクロール機能、若しくは指令を実行する。
【００２１】
さらに、本考案による制御回路モジュール４０の感知素子４１は、トラックボール回路、またはホイール回路を使用する。これに対応し、電気的に導通されている操作部材２１にはトラックボール、またはホイールを設けて、使用者による該操作部材２１の操作に従い、マウスカーソルを同時に移動させるか、またはページスクロール機能、若しくは指令を実行する。
【実施例４】
【００２２】
図１０に本考案による実施例４を示す。
本実施例の特徴は、該調節部材６０は棒部材を用いて、該板部材３１または該制御回路モジュール４０に接続固定（該板部材３１と該制御回路モジュール４０を一体化に結合）しておく。
該調節部材６０は該透過溝１８（図示しない）を通り抜けて、該マウス本体１０外部に露出させた上、該調節部材６０の移動操作を便利にする。
【００２３】
以上に説明した本考案の実施例は、本考案の好ましい実施例であり、本考案に何らの制限を加わるものではない。
よって、本考案の精神を逸脱しない限り、本考案の請求の範囲に掲げた形状、構造、特長および精神による変更と修飾は、なお本考案に含まれるものとする。
【符号の説明】
【００２４】
１０        マウス本体
１１Ａ      上部本体
１１Ｂ      下部本体
１２        操作ホイール
１３Ａ、１３Ｂ  キー
１５        中空案内面
１６        ねじ固定柱
１７        摺動部
１８        透過溝
２０        側面操作モジュール
２１        操作部材
２１１、２１２  キー
２１３      光通過孔
２２        接続板
２３        接ぎロッド
２３Ａ、２３Ｂ  接ぎロッド
２４        固定柱
２５        支え部
２５Ａ、２５Ｂ  支え部
３０        連動部材
３１        板部材
３２        貫通孔
３３        移動部
４０        制御回路モジュール
４１        感知素子
４１１      クリック部
４２        貫通孔
４３        固定部材
５０、６０  調節部材
５１        ホイール体
５１１      ホイール端
５２        位置決め部材
５３        軸固定孔
【図１】
0003149617.tif 000003
【図２】
0003149617.tif 000004
【図３】
0003149617.tif 000005
【図４】
0003149617.tif 000006
【図５】
0003149617.tif 000007
【図６】
0003149617.tif 000008
【図７】
0003149617.tif 000009
【図８】
0003149617.tif 000010
【図９】
0003149617.tif 000011
【図１０】
0003149617.tif 000012